(57)【特許請求の範囲】
【請求項１】
板状の赤外線発熱部に穴状の開口部を前方へ向けて形成し、前記開口部の中央にマイナスイオン発生器の電極針先端部を前方へ向け、かつ、ほぼ前記板状の赤外線発熱部のなす平面上に位置させ、赤外線発熱部及びマイナスイオン発生器の配線中に、赤外線発熱部とマイナスイオン発生器のいずれか一方若しくは両方を選択的に通電可能なスイッチ機構を設けて、赤外線発熱部、マイナスイオン発生器のいずれか一方、若しくは両方を同時に通電して利用できるようにし、マイナスイオン発生器と赤外線発熱部との通電時にマイナスイオンを赤外線発熱部の内部から発生させてマイナスイオンと赤外線とを混合状態にするようにしたことを特徴とする赤外線照射装置。
【発明の詳細な説明】
【０００１】
【発明の属する技術分野】
本発明は、板状の赤外線発熱部に穴状の開口部を前方へ向けて開設し、この開口部の中央にマイナスイオン発生器の電極針先端部を前方へ向け、かつ、ほぼ前記板状の赤外線発熱部のなす平面上に位置させ、赤外線発熱部、マイナスイオン発生器のいずれか一方を選択的に、若しくは両方を同時に利用できるようにして、マイナスイオンかオゾン、及び赤外線や遠赤外線の一方若しくは両方を照射できるようにし、マイナスイオン発生器と赤外線発熱部との通電時にマイナスイオンを赤外線発熱部の内部から発生させてマイナスイオンと赤外線とを混合状態にするようにした赤外線照射装置に関するものである。
【０００２】
【従来の技術】
周知のように、赤外線は人体に対してこりや痛みをほぐす治療効果を期待できるとともに暖房効果があることが知られている。また、マイナスイオンやオゾンは、人体に対して健康促進、疲労感の軽減、ストレスの緩和等の治療効果と空気洗浄効果とが有ることが知られている。
そこで、赤外線を照射できるとともに、マイナスイオン若しくはオゾンを発生できる従来の赤外線照射装置としては、例えば実公昭６３−３７９７８号公報や、実公平１−３７６４７号公報に記載されている。この赤外線照射装置は、赤外線ランプと、オゾン若しくはマイナスイオン発生ランプを１つのフードの内部に併存させた構成である。
【０００３】
【発明が解決しようとする課題】
したがって、従来の赤外線照射装置では、１つのフードに２個以上のランプが収納されているのできわめて嵩張って装飾的機能をほとんど設けることができないし、赤外線、マイナスイオンのいずれか一方若しくは両方を選択的に作用させることができないので、商品価値が低いものである。しかも、赤外線ランプとオゾン発生ランプとの位置がずれているので、赤外線とオゾンとを充分に混合した状態で人体に作用させることができなくて、治療効果が低減する。
したがって、本発明は赤外線とマイナスイオンとを充分に混合させて人体に作用させることができ、またきわめて商品価値が高く、しかも赤外線とマイナスイオンとを同時に若しくは単独で使用することができる目的で提案されたものである。
【０００４】
【課題を解決するための手段】
前記目的を達成させるために、本発明は、板状の赤外線発熱部に穴状の開口部を前方へ向けて形成し、前記開口部の中央にマイナスイオン発生器の電極針先端部を前方へ向け、かつ、ほぼ前記板状の赤外線発熱部のなす平面上に位置させ、赤外線発熱部及びマイナスイオン発生器の配線中に、赤外線発熱部とマイナスイオン発生器のいずれか一方若しくは両方を選択的に通電可能なスイッチ機構を設けて、赤外線発熱部、マイナスイオン発生器のいずれか一方を通電し、若しくは両方を同時に通電して赤外線発生部からは赤外線若しくは遠赤外線を、マイナスイオン発生器からはマイナスイオン若しくはオゾンを照射できるようにし、マイナスイオン発生器と赤外線発熱部との通電時にマイナスイオンを赤外線発熱部の内部から発生させてマイナスイオンと赤外線とを混合状態にするようにしたことを特徴とする。
【０００５】
【発明の実施の形態】
以下に本発明を図面に示す実施の態様に基づいて説明する。
図１は本発明の典型的な実施の形態の構成を示す縦断面図、図２は正面図、図３は本発明の他の実施の形態の側面図、図４は図３の一使用状態の側面図、図５は本発明の他の実施の形態を示す正面図、図６は図５のＡ−Ａ断面図、図７は本発明の他の実施の形態を示す正面図、図８は図７の底面図、図９は図７の縦断正面図である。
【０００６】
図１，２に示す本発明の赤外線照射装置１は、中空な厚板状のベース２から中空な下部支柱３を直立させ、前記下部支柱３の上端にフレキシブルなパイプ材からなって屈曲可能な中空の上部支柱４を連結し、上部支柱４の上端に照射部５を設けた構成である。
【０００７】
前記ベース２は、比較的重量があって前記照射部５を安定に支えるもので、また前記下部支柱３には複数の表示部群Ｌとスイッチ群Ｓ、及びタイマー機構Ｔを操作するタイマー操作部Ｔ１を設けてあり、商用電源からの配線類６を内部に通している。
【０００８】
前記上部支柱４は、金属や合成樹脂で成形した中空で屈曲可能なパイプ材から成って内部に前記配線類６が通り、前記照射部５の方向を自由に変えることができる。
【０００９】
前記照射部５は、前面が開放する枠体５１の内部にマイナスイオン発生器５２と、赤外線発熱部５３とを設けた構成で、開放する前面にガードカバー５４を設けている。
前記マイナスイオン発生器５２は、交流・直流変換機構と昇圧トランス機構とを一体状に組み込んだ高圧電源ユニット５２１と、マイナスイオンやオゾンを発生する発生用電極針５２２とからなり、高圧電源ユニット５２１と電極針５２２とは電気的に接続されている。
【００１０】
そして、前記赤外線発熱部５３は、赤外線や遠赤外線の発生板とヒーター板とを重合してなる発熱プレート５３１と、前記発熱プレート５３１を支える耐熱性、絶縁性の台盤５３２とを有し、中央部分に穴状の開口部５３３を設けて、前記電極針５２２の先端部を位置させている。
前記ガードカバー５４は、複数本の横方向の桟材からなり、赤外線発熱部５３に人体が直接接触するのを防止している。
【００１１】
前記表示部群Ｌは、赤外線発熱部５３の通電時を表示する第１表示部Ｌ１と、マイナスイオン発生器５２の通電時を表示する第２表示部Ｌ２と、タイマー操作部Ｔ１によってタイマー機構Ｔが作動したときに表示する第３表示部Ｌ３とを有し、各表示部Ｌ１、Ｌ２、Ｌ３は豆ランプ、ＬＥＤなどの発光素子からなる。
【００１２】
また、前記スイッチ群Ｓは、タイマー操作部Ｔ１によってタイマー機構Ｔが作動している状態で赤外線発熱部５３をオン、オフする第１スイッチＳ１と、マイナスイオン発生器５２をオン、オフする第２スイッチＳ２と、赤外線発熱部５３及びマイナスイオン発生器５２を同時にオン、オフする第３スイッチＳ３とを有し、また前記タイマー機構Ｔの作動に関係なくてマイナスイオン発生器５２を継続的にオンにしたり、オフにする第４スイッチＳ４とを設けてある。
【００１３】
前記表示部群Ｌの各表示部Ｌ１〜Ｌ３、スイッチ群Ｓの各スイッチＳ１〜Ｓ４、タイマー機構Ｔ、マイナスイオン発生器５２及び赤外線発熱部５３は配線類６により電気的に接続されている。
【００１４】
このため、タイマー操作部Ｔ１によりタイマー機構Ｔを作動すると、第３表示部Ｌ３が点灯し、この状態において第１スイッチＳ１をオンにすると、赤外線発熱部５３が通電されるので、照射部５の前方に赤外線が照射する。そして、タイマー機構Ｔの設定された時間が経過すると、赤外線発熱部５３がオフになる。
【００１５】
また、同様にしてタイマー操作部Ｔ１によりタイマー機構Ｔを作動すると第３表示部Ｌ３が点灯し、この状態において第２スイッチＳ２をオンにすると、マイナスイオン発生器５２が通電されるので、照射部５の前方にマイナスイオンが発生する。そして、タイマー機構Ｔの設定された時間が経過すると、マイナスイオン発生器５２がオフになる。
【００１６】
また、同様にしてタイマー操作部Ｔ１によりタイマー機構Ｔを作動すると第３表示部Ｌ３が点灯し、この状態において第３スイッチＳ３をオンにすると、赤外線発熱部５３及びマイナスイオン発生器５２が同時に通電されるので、照射部５の前方に赤外線が照射するとともにマイナスイオンが発生する。そして、タイマー機構Ｔの設定された時間が経過すると、赤外線発熱部５３及びマイナスイオン発生器５２が同時にオフになる。
【００１７】
さらに、タイマー機構Ｔを作動させなくても、第４スイッチＳ４をオンにすると第２表示部Ｌ２が点灯し、同時にマイナスイオン発生器５２が通電されるので、照射部５の前方にマイナスイオンが発生する。そして、第４スイッチＳ４を再度操作してオフにすると、第２表示部Ｌ２が消灯するとともにマイナスイオン発生器５２の作動が停止する。
【００１８】
したがって、図１，２に示す本発明の実施の形態によると、マイナスイオン発生器５２及び赤外線発熱部５３を選択的に作動させることができ、またマイナスイオンは赤外線発熱部５３の内部から発生するので混合状態になり、人体に対して有効に作用させることができるし、効果的に暖房や空気清浄をすることができる。
【００１９】
図３，４に示す本発明の赤外線照射装置１の他の実施の形態は、ベース２の一側に中空な第２支柱７を直立させ、この第２支柱７にスライダー７１を移動可能に、固定可能に設け、このスライダー７１にポール７２を直立させ、このポール７２の先端部に前記照射部５を設けた構成である。
前記スライダー７１は第２支柱に対して移動及び回転が可能で、しかもネジ機構によって位置を固定させることができる。またポール７２はスライダー７１に対して回動させたり上下に傾動させることができ、また照射部５はポール７２の先端において回動させることができる。
【００２０】
そして、前記マイナスイオン発生器５２の電源ユニット５２１はベース２の内部に設けてあり、照射部５に設けてある電極針５２２と前記電源ユニット５２１とは配線部（図示省略）により接続してある。また、表示部群Ｌ、スイッチ群Ｓ及びタイマー機構などは、前記ベース２の内部に設けてあって操作部だけが表面に位置している。
なお、その他の構成は前記図１，２の実施の形態の構成と同一であるから、同一符号を付して具体的説明を省略する。
【００２１】
前記した本発明の実施の形態によれば、赤外線やマイナスイオンの発生状態は前記実施の形態と同一であるが、第２支柱７に沿ってスライダー７１を移動させたり回動させ、またポール７２を回動させたり傾動させ、また照射部５をポール７２に対して回動させることにより、赤外線やマイナスイオンの発生方向をどのようにでも変化させることができる。したがって、直立姿勢の人間や伏している人間の肩、背中、腰などの部位に照射できるが、特に椅子に座った姿勢の人間の肩、背中、腰などの部位に対して、無理な姿勢をさせなくても、また疲れさせることなく効果的に赤外線を照射したりマイナスイオンを作用させることができるため、長時間の照射にも充分に耐えることができる。
また、赤外線を暖房用として利用したり、マイナスイオンを空気清浄用として利用する場合であっても、それらを最適な方向に向けて照射することができ、特に一般家庭の室内用として使用する場合に実用的価値の高いものとなる。
【００２２】
図５，６は本発明の赤外線照射装置１のさらに他の実施の形態を示すもので、支柱やポールを使用しないで床据え置き型とした構成である。
即ち、ベース２に中空で、縦長で前後幅が短い縦枠体８を設け、この縦枠体８の内部に前記実施の形態と同様な構成のマイナスイオン発生器５２及び赤外線発熱部５３を設けた構成で、赤外線発熱部５３の前面側には多孔板からなるガードカバー５４を設けてある。なお、図５、６で示すように、マイナスイオン発生器５２は、赤外線発熱部５３の中央位置ではなくて、中央より僅かに上方に設けてある。また、前記ガードカバー５４の下方部分には、タイマー機構のタイマー操作部Ｔ１と、３種類の表示部からなる表示部群Ｌと、４種類のスイッチからなるスイッチ群Ｓとを設けてあり、スイッチ群Ｓは回転できるダイヤル方式によって切り替えることができる。
【００２３】
したがって、図５、６の実施の形態によれば、特に赤外線発熱部５３の寸法を大きくすることができるので、床に設置する暖房用として機能し、また同時にマイナスイオン発生器５２により空気洗浄用としても利用することができる。しかし、マイナスイオン発生器５２及び赤外線発熱部５３を人体の治療用として利用することもできる。
なお、図５、６において、説明していない符号は前記図１、２の同一符号と同一の構成であるから詳細な説明は省略する。
【００２４】
図７から図９に示す本発明の赤外線照射装置１の他の実施の形態は、図５、６と同様に支柱やポールを使用しないで炬燵形式として構成したものである。
即ち、天板９１と、この天板９１の四隅に設けた脚片９２とによって櫓９３を構成し、前記天板９１の下面にマイナスイオン発生器５２及び赤外線発熱部５３を下向きに設けた構成である。そして、タイマー機構、スイッチ機構及び表示部などは天板９１の下面の適宜な位置に設けてあり（図示せず）、リモートコントロール（図示せず）によってマイナスイオン発生器５２及び赤外線発熱部５３を選択的に作動させたり、作動停止させることができる。
なお、図７から図９においても、説明していない符号は前記実施の形態の同一符号と同一の構成であるから、詳細な説明は省略する。
【００２５】
したがって、図７から図９迄の実施の形態によれば、特に炬燵用の暖房器具として使用すると実用的であるが、マイナスイオンと赤外線とによる人体の治療用としても使用することができる。
【００２６】
以上本発明を図面に示す実施の形態に基づいて説明したが、本発明は前記実施の形態の構成に限定されるものではなく、特許請求の範囲に記載の構成を変更しない限りどのようにでも実施することができる。例えば、マイナスイオン発生器以外にも、電極針にマイナスを印加するとともに、電極針の近傍にプラスの電極を設けるとオゾン発生装置になるので、マイナスイオン発生装置ではなく前記オゾン発生装置を使用してもよい。また、スイッチ群や表示部群などは、適宜の状態で機能したり、適当な位置に設けることもできる。
【００２７】
【発明の効果】
以上要するに、本発明によれば板状の赤外線発熱部に穴状の開口部を前方へ向けて形成し、前記開口部の中央にマイナスイオン発生器の電極針先端部を前方へ向け、かつ、ほぼ前記板状の赤外線発熱部のなす平面上に位置させ、赤外線発熱部及びマイナスイオン発生器の配線中に、赤外線発熱部とマイナスイオン発生器のいずれか一方若しくは両方を選択的に通電可能なスイッチ機構を設けて、赤外線発熱部、マイナスイオン発生器のいずれか一方、若しくは両方を同時に通電して利用できるようにし、マイナスイオン発生器と赤外線発熱部との通電時にマイナスイオンを赤外線発熱部の内部から発生させてマイナスイオンと赤外線とを混合状態にするようにしたことを特徴とする。
【００２８】
したがって、照射部が嵩張らないで薄型になるのでどのような構造のものにも使用することができ、特に照射部の形態を選択することにより、変化に富んだ商品価値の高い赤外線の照射装置を提供することができる。また、赤外線か遠赤外線、及びマイナスイオンかオゾンのいずれか一方若しくは両方を選択的に作用させることができるので、人体の治療効果、暖房効果及び空気清浄機能のいずれかを自由に設定することができる。しかも、赤外線若しくは遠赤外線と、マイナスイオン若しくはオゾンとを充分に混合させて人体に作用させたり、暖房、空気清浄を行うことができるため、それらの持つ作用が確実に機能することができ、商品価値の高いものとなる。
【図面の簡単な説明】
【図１】本発明の典型的な実施の形態の構成を示す縦断面図である。
【図２】図１の正面図である。
【図３】本発明の他の実施の形態を示す側面図である。
【図４】図３の一使用状態の側面図である。
【図５】本発明の他の実施の形態を示す正面図である。
【図６】図５のＡ−Ａ断面図である。
【図７】本発明の他の実施の形態を示す正面図である。
【図８】図７の底面図である。
【図９】図７の縦断正面図である。
【符号の説明】
１  赤外線照射装置
２  ベース
３  下部支柱
４  上部支柱
５  照射部
６  配線類
７  第２支柱
８  縦枠体
５１  枠体
５２  マイナスイオン発生器
５３  赤外線発熱部
５４  ガードカバー
７１  スライダー
７２  ポール
９１  天板
９２  脚片
９３  櫓
５２１  電源ユニット
５２２  電極針
５３１  発熱プレート
５３２  台盤
５３３  開口部
Ｌ  表示部群
Ｓ  スイッチ群
Ｔ  タイマー機構
【図１】
0003548708.tif 000002
【図２】
0003548708.tif 000003
【図３】
0003548708.tif 000004
【図４】
0003548708.tif 000005
【図５】
0003548708.tif 000006
【図６】
0003548708.tif 000007
【図７】
0003548708.tif 000008
【図８】
0003548708.tif 000009
【図９】
0003548708.tif 000010